(57)【要約】【課題】通信内容の確認を容易にしつつ、過去の音声を確認中であることを、通信回線を占有せずに通信相手に認知させること。【解決手段】無線機１００は、受信音声を受信する受信部１１３と、受信音声を記録する記録部１１０と、音声を送信する送信部１１２と、記録部１１０に記録された受信音声を遡り再生させる再生制御部１０９と、遡り再生中に受信音声の受信の終了を検知した場合、遡り再生中であることを通知する再生中信号を送信部１１２に送信させ、遡り再生が終了すると、遡り再生が終了したことを示す再生終了信号を送信部１１２に送信させる送受信制御部１０８と、を備える。【選択図】図１
2019169890.tif 000002
【特許請求の範囲】
【請求項１】
受信音声を受信する受信部と、
前記受信音声を記録する記録部と、
送信音声を送信する送信部と、
前記記録部に記録された受信音声を遡り再生させる再生制御部と、
前記遡り再生中に前記受信音声の受信の終了を検知した場合、前記遡り再生中であることを通知する再生中信号を前記送信部に送信させ、前記遡り再生が終了すると、前記遡り再生が終了したことを示す再生終了信号を前記送信部に送信させる送受信制御部と、を備える無線機。
【請求項２】
前記遡り再生を実行させる遡り再生ボタンを備え、
前記遡り再生ボタンを押下した時間に応じて、前記遡り再生を実行する時間が決定される、請求項１に記載の無線機。
【請求項３】
前記送受信制御部は、前記再生中信号を送信した後、前記受信音声を受信した場合には、前記受信音声に受信割込信号が付加されているか否かを検出し、
前記再生制御部は、前記受信割込信号が検出された場合、前記遡り再生を中断し、前記受信割込信号が付加されている前記受信音声を再生する、請求項１または２に記載の無線機。
【請求項４】
前記受信音声に前記受信割込信号が付加されていない場合に、前記受信音声を記録部に記録する録音制御部を備える、請求項３に記載の無線機。
【請求項５】
受信側に送信音声を送信する送信部と、
前記受信側から受信音声を受信する受信部と、
前記受信側で録音した音声信号を再生中であることを示す再生中信号を受信した場合、前記再生に割込んで受信させる割込信号を前記送信音声に付加して前記送信部に送信させる送受信制御部と、を備える無線機。
【発明の詳細な説明】
【技術分野】
【０００１】
本発明は、無線機に関する。
【背景技術】
【０００２】
半二重通信のようなブレストーク通信において、話し手側に聞き手側が応答するタイミングを把握させ、スムーズな対話が行われるようにする技術が開示されている(例えば、特許文献１)。
【先行技術文献】
【特許文献】
【０００３】
【特許文献１】特開平１１―３３１３２０号公報
【発明の概要】
【発明が解決しようとする課題】
【０００４】
しかしながら、半二重通信による無線通信においては、聞き手側が聞いている音声を話して側に通知してしまうと、通信チャネルを占有してしまう問題がある。また、話し手側が応答を持っている間に、内容の訂正や、緊急で内容を伝達したい状況となった場合には、聞き手は送信中のため受信することができないといった問題がある。
【０００５】
本発明は、半二重通信において、通信内容の確認を容易にしつつ、過去の音声を確認中であることを、通信回線を占有せずに通信相手に認知させることのできる無線機を提供することを課題とする。また、過去の音声を確認中であっても、通信相手の通信の必要性に応じて受信するか、過去の音声の確認を継続するかを選択させる手段を提供することを課題とする。
【課題を解決するための手段】
【０００６】
本発明の第１の態様の無線機は、受信音声を受信する受信部と、前記受信音声を記録する記録部と、送信音声を送信する送信部と、前記記録部に記録された受信音声を遡り再生させる再生制御部と、前記遡り再生中に前記受信音声の受信の終了を検知した  場合、前記遡り再生中であることを通知する再生中信号を前記送信部に送信させ、前記遡り再生が終了すると、前記遡り再生が終了したことを示す再生終了信号を前記送信部に送信させる送受信制御部と、を備える。
【０００７】
本発明の第２の態様の無線機は、受信側に送信音声を送信する送信部と、前記受信側から受信音声を受信する受信部と、前記受信側で録音した音声信号を再生中であることを示す再生中信号を受信した場合、前記再生に割込んで受信させる割込信号を前記送信音声に付加して前記送信部に送信させる送受信制御部と、を備える。
【発明の効果】
【０００８】
本発明によれば、半二重通信において、通信内容の確認を容易にしつつ、過去の音声を確認中であることを、通信回線を占有せずに通信相手に認知させることができる。過去の音声を確認中であっても、通信相手の通信の必要性に応じて受信するか、過去の音声の確認を継続するかを選択させることができる。
【図面の簡単な説明】
【０００９】
【図１】図１は、本発明の実施形態に係る無線機の構成を示すブロック図である。
【図２】図２は、本発明の実施形態に係る無線機の基本的な動作の一例を示すタイムチャートである。
【図３】図３は、遡り再生を行う動作の一例を示すタイムチャートである。
【図４】図４は、音声データを示す図である。
【図５】図５は、記録部１１０に音声データが記録される様子を示す図である。
【図６】図６は、記録部１１０に音声データが記録される様子を示す図である。
【図７】図７は、音声データを再聴取する方法を説明するための図である。
【図８】図８は、割込送信する動作の一例を示すタイムチャートである。
【図９】図９は、追伸送信を行う動作の一例を示すフローチャートである。
【発明を実施するための形態】
【００１０】
以下、図面を参照しながら、本発明の実施形態について詳細に説明する。本発明の実施形態は、業務用無線やアマチュア無線機などの通信装置において好適に使用することができる。なお、各図において同一または相当する部分には同一の符号を付して適宜説明は省略する。
【００１１】
図１を用いて、本発明の実施形態に係る無線機について説明する。図１は、本発明の実施形態に係る無線機の一例を示すブロック図である。
【００１２】
図１に示すように、無線機１００は、マイク１０１と、送信ボタン１０２と、操作部１０３と、表示部１０４と、音声認識部１０５と、スピーカ１０６と、遡り再生ボタン１０７と、送受信制御部１０８と、再生制御部１０９と、記録部１１０と、録音制御部１１１と、送信部１１２と、受信部１１３と、送受信アンテナ１１４とを備える。
【００１３】
まず、無線機１００の具体的な動作を説明する前に、無線機１００が備える各部について簡単に説明する。
【００１４】
マイク１０１は、無線機１００の使用者の音声を取得する。具体的には、マイク１０１は、無線機１００が送信モードの間、常時、使用者の音声を取得する。
【００１５】
送信ボタン１０２は、無線機１００を受信モードから送信モードに切り替えるためのボタンである。具体的には、無線機１００は、使用者によって送信ボタン１０２を押下されている間は送信モードとなり、使用者によって送信ボタン１０２が開放されると受信モードとなる。
【００１６】
操作部１０３は、無線機１００の各種の機能を操作するためのボタンである。使用者は、操作部１０３を操作することで、無線機１００に各種の機能を発揮させることができる。使用者は、例えば、操作部１０３を操作することで、無線機１００の送受信条件を設定することができる。使用者は、例えば、操作部１０３を操作することで、通信相手が遡り再生をしている際に、その遡り再生中の音声に割込んで受信者に内容を伝えることのできる割込モードに切り替えることができる。
【００１７】
表示部１０４は、例えば、無線機１００の通信状況や、無線機１００の設定状況を表示する。表示部１０４は、例えば、液晶ディスプレイ（ＬＣＤ：Ｌｉｑｕｉｄ  Ｃｒｙｓｔａｌ  Ｄｉｓｐｌａｙ）または有機ＥＬ（Ｏｒｇａｎｉｃ  Ｅｌｅｃｔｒｏ−Ｌｕｍｉｎｅｓｃｅｎｃｅ）ディスプレイなどを含む通常のディスプレイで実現することができる。
【００１８】
音声認識部１０５は、例えば、記録部１１０が記録する音声データから音声を認識する処理を実行する。音声認識部１０５は、認識した音声を文字列として表示部１０４に表示する。
【００１９】
スピーカ１０６は、音声を出力する装置である。スピーカ１０６は、例えば、無線機１００が通信相手と通話している際に、通信相手の音声を出力する。スピーカ１０６は、例えば、遡り再生の音声を出力する。
【００２０】
遡り再生ボタン１０７は、無線機１００に遡り再生を実行させるためのボタンである。具体的には後述するが、本実施形態では、スピーカ１０６から音声が発せられている最中に、遡り再生ボタン１０７が押下されることで、遡り再生が実行される。
【００２１】
送受信制御部１０８と、再生制御部１０９と、録音制御部１１１とは、無線機１００が備える各部を制御する。具体的には、送受信制御部１０８と、再生制御部１０９と、録音制御部１１１とは、記録部１１０が記録するプログラムを展開して実行することによって、無線機１００が備える各部を制御する。送受信制御部１０８と、再生制御部１０９と、録音制御部１１１とは、例えば、ＣＰＵ（Central  Processing  Unit）を含む電子的な回路などで実現することができる。
【００２２】
記録部１１０は、送受信制御部１０８と、再生制御部１０９と、録音制御部１１１とが、各部を制御するための制御プログラムを記録している。記録部１１０は、遡り再生を実行するために無線機１００が受信した受信音声を記録している。記録部１１０は、例えば、ＲＡＭ（Random  Access  Memory）、ＲＯＭ（Read  Only  Memory）、フラッシュメモリ（Flash  Memory）などの半導体メモリ素子、または、ハードディスク、ソリッドステートドライブ、光ディスクなどの記録装置である。記録部１１０は、無線または有線で接続される外部記録装置などであってもよい。
【００２３】
送信部１１２は、例えば、マイク１０１で取得した音声や、送信相手を識別するためのＩＤを変調する。送信部１１２は、変調した信号を送信音声として送受信アンテナ１１４を介して通信相手に送信する。受信部１１３は、送受信アンテナ１１４を介して受信した通信相手から送信された受信音声を復調する。送受信アンテナ１１４は、通信相手に送信音声を電波として送信する。送受信アンテナ１１４は、通信相手から送信された電波を受信音声として受信する。
【００２４】
次に、無線機１００の、受信モードにおける動作について説明する。
【００２５】
受信モードにおいて、無線機１００は、送受信アンテナ１１４によって電波を受信音声として受信する。無線機１００は、受信音声を受信部１１３によって復調する。受信部１１３は、復調した受信音声を、送受信制御部１０８と、再生制御部１０９と、録音制御部１１１とに出力する。
【００２６】
再生制御部１０９は、受信部１１３から受けた受信音声を音声としてスピーカ１０６から出力する。
【００２７】
無線機１００は、スピーカ１０６から音声が発せられている最中に、受信者が再生制御部１０９に接続された遡り再生ボタン１０７を押下すると、遡り再生を実行する。遡り再生とは、録音制御部１１１が音声データを書き込んでいる記録部１１０の書込み位置から、遡り再生ボタン１０７が押下され続けていた時間分（以降、遡り時間と呼ぶ）だけメモリの読み出し位置を遡り、遡った位置の音声データを再生することをいう。具体的には、再生制御部１０９は、受信者によって遡り再生ボタン１０７が押下されると、受信部１１３から入力される音声信号の代わりに、記録部１１０の記録されている再生音声をスピーカ１０６から出力する。これにより、受信者は、過去に受信した受信音声を聞くことができる。再生制御部１０９は、記録部１１０の書込み位置と、記録部１１０の読み出し位置との間の音声データを音声認識部１０５に入力してもよい。この場合、音声認識部１０５は、音声データを、音声認識によって文字列データに変換して表示部１０４に表示する。
【００２８】
送受信制御部１０８は、遡り再生中に送信者からの電波(受信音声)の受信を終了したことを検知すると、遡り再生中であることを知らせる符号（以降、再生中信号と呼ぶ）を生成する。送受信制御部１０８は、生成した再生中信号を送信部１１２から送信者に送信する。送受信制御部１０８は、遡り再生が終了した場合には、遡り再生の終了を知らせる符号（以降、再生終了信号と呼ぶ）を生成する。送受信制御部１０８は、遡り再生が終了すると生成した再生終了信号を送信部１１２から送信者に送信する。送受信制御部１０８は、遡り再生中信号を送信した後、再生終了信号を送信した時間までの間に新たな電波の受信があった場合には、受信音声に割込送信であることを示す符号（以降、割込信号と呼ぶ）が含まれていないかを検査する。
【００２９】
再生制御部１０９は、受信音声に割込信号が付加されている場合には、遡り再生を中断し、割込信号が付加された受信音声をスピーカ１０６から出力する(以降、割込再生と呼ぶ)。そして、再生制御部１０９は、割込信号の受信が終了したら、割込信号の受信によって中断した位置から遡り再生を再開する。一方、再生制御部１０９は、受信音声に割込信号が含まれていない場合には、受信音声をスピーカ１０６から出力せずに、遡り再生を継続する。この場合、録音制御部１１１は、受信した受信音声を記録部１１０に記録されているメモリ記録の最後に連結して記録する(以降、追伸モードと呼ぶ)。
【００３０】
録音制御部１１１は、受信部１１３から受けた受信音声を記録部１１０に記録する。ここで、受信部１１３が出力する受信音声は、アナログ信号であっても良いし、符号化された圧縮音声データであっても良い。すなわち、受信部１１３が出力する受信音声に、特に制限はない。
【００３１】
次に、無線機１００の送信モードについて説明する。
【００３２】
送信モードにおいて、送信者が送信ボタン１０２を押下すると、送受信制御部１０８に対して送信音声の送信を開始するように通知される。これにより、無線機１００は、受信モードから送信モードに切り替る。この場合、送受信制御部１０８は、送信相手を特定するＩＤ番号などの必要に応じた信号と、マイク１０１から入力された音声とを変調して送信するように送信部１１２を制御する。送受信制御部１０８は、ＩＤ番号などの必要に応じた信号と、マイク１０１から入力された音声とを、送受信アンテナ１１４から受信側に送信音声として送信する。
【００３３】
送受信制御部１０８は、送信終了後に送受信アンテナ１１４が受信した受信信号から再生中信号を検出すると、送信相手が遡り再生中であることを知らせる報知音を、スピーカ１０６から出力するように再生制御部１０９を制御する。同時に、送受信制御部１０８は、表示部１０４に遡り再生中であることを知らせるマーカ等を表示する。送受信制御部１０８は、スピーカ１０６による報知と、表示部１０４による報知とのいずれか一方のみを行っても良い。
【００３４】
送受信制御部１０８は、送受信アンテナ１１４が受信した受信信号から再生終了信号を検出すると、送信相手が遡り再生を終了したことを知らせる報知音を、スピーカ１０６から出力するように再生制御部１０９を制御する。同時に、送受信制御部１０８は、表示部１０４から遡り再生中であることを知らせるマーカを消去する。
【００３５】
ところで、送信相手が遡り再生中である場合は、通常、送信者は、送信相手の遡り再生の終了を待つことになる。しかしながら、本実施形態では、受信者が遡り再生中であっても、追加の送信音声を送信する必要が発生した場合には、操作部１０３を操作して割込みモードに切り替えることができる。そして、送信者は、割込みモードに切り替えた後で、送信ボタン１０２を押下して送信音声を送信すれば、遡り再生中の音声に割込んで受信者に内容を伝えることができる。
【００３６】
具体的には、無線機１００が割込モードの状態で、送信者によって送信ボタン１０２が押下され、マイク１０１から音声が入力されると、送受信制御部１０８は、送信音声に割込信号を付加する。この場合、送受信制御部１０８は、送信部１１２によって、割込信号が付加された送信音声を変調する。そして、送受信制御部１０８は、割込信号を付加した送信音声を送受信アンテナ１１４から受信側に発信する。
【００３７】
上述のとおり、割込信号を受信した受信側では、遡り再生を一旦中断して割込信号を含む受信音声をスピーカ１０６から出力する。一方、送信者が操作部１０３によって送受信制御部１０８に割込モードに切り替えずに送信を行うと、割込信号が付加されずに送信音声が送信される。この場合、受信側では、記録部１１０に既に記録されているメモリ記録音声の最後に連結して受信した受信音声を記録する。これにより、割込信号が付加されていない送信音声は、遡り再生が終了した後に、続けて受信者に提供される。
【００３８】
次に、図２から図９を用いて、遡り再生、割込モード、及び追伸モードの動作について説明する。図２から図４、及び図７から図９は、無線機の動作を示すタイムチャートであり、横軸が時間である。図５は、記録部１１０に音声データが記録される様子を示す図である。図６は、記録部１１０に音声データが記録される様子を示す図である。なお、図２から図９において、同じ信号、時刻、及び時間には同じ符号を付与し、適宜説明は省略する。
【００３９】
図２を用いて、本発明の実施形態に係る無線機１００の基本的な動作について説明する。図２は、本発明の実施形態に係る無線機１００の基本的な動作の一例を示すタイムチャートである。
【００４０】
図２は、半二重通信を行う無線機Ａと、無線機Ｂとの間の音声データの送受信を模式的に示している。ここで、無線機Ａが送信側であり、無線機Ｂが受信側である。送受信信号Ａ１００と、送受信信号Ｂ１００は、図１に図示の送受信アンテナ１１４で送受信される音声データを表している。スピーカ出力音声Ｂ３００は、図１に図示のスピーカ１０６から出力される音声データを表している。無線機Ａと、無線機Ｂとは、図１に図示の無線機１００である。
【００４１】
図２では、無線機Ａは送信音声Ａ１０１を電波として送信し、無線機Ｂは送信音声Ａ１０１を受信音声Ｂ１０１として受信する。無線機Ｂは、受信音声Ｂ１０１を復調して、受信音声Ｂ３０１としてスピーカ１０６から受信者に提供するとともに、メモリ記録音声Ｂ２０１として記録部１１０に記録する。このとき、送信から受信までにかかる時間には、変調や復調処理にかかる時間や、電波の伝搬などにより時間ｄＴ００１の遅延が発生する。ただし、一般的に時間ｄＴ００１は僅かな時間であり、受信者が受信の終了を認知して応答を送信する（ブレストーク通信）ことに影響を及ぼすことはない。受信者は、受信音声Ｂ３０１を聴取し終えたタイミングを認知すると、その内容に応じて送信音声Ｂ１０２を電波として返信する。そして、無線機Ａは、送信音声Ｂ１０２を受信音声Ａ１０２として受信する。以降、同様にブレストーク通信を繰り返すことによって、無線機Ａと、無線機Ｂとの間で会話がなされる。
【００４２】
図３を用いて、第一の発明である再生中信号及び再生終了信号を送信する動作について説明する。図３は、無線機Ｂが遡り再生を行う動作の一例を示すタイムチャートである。
【００４３】
受信者は、受信音声Ｂ１０１を受信音声Ｂ３０２として聴取している途中で、遡り再生を実行したい場合には、まず、遡り再生ボタン１０７を押下することで遡り時間を指定する。これにより、無線機Ｂは、遡り再生ボタン１０７を押下した時点から遡り時間だけ戻った時点のメモリ記録音声Ｂ２０１をメモリ再生音声Ｂ３０３としてスピーカ１０６から再生する。この結果、受信者が受信音声Ｂ１０１を聴取し終わる時間には、元々存在する遅延時間である時間ｄＴ００１に加えて、更に、遡り再生ボタン１０７を押下していた時間と、遡り再生を実行していた時間とを加算した時間ｄＴ００２の遅延が発生する。この遅延時間は無視できる時間ではなく、送信者は自分の送信が終了しているのにも関わらず受信者からの応答が返ってこないため、送信者は応答を待ちきれずに再送信してしまうなど、ブレストーク通信の障害となる。
【００４４】
本発明によれば、無線機Ｂは、受信音声Ｂ１０１の受信が終了した時間Ｔ１０１において、メモリ再生音声Ｂ３０３を再生(遡り再生)している場合には、再生中信号Ｃ１０１を無線機Ａに送信する。
【００４５】
無線機Ａは、無線機Ｂが送信した再生中信号Ｃ１０１を、再生中信号Ｄ１０１として受信する。無線機Ａは、再生中信号Ｄ１０１を受信すると、例えば、報知音をスピーカ１０６から鳴らしたり、表示部１０４に無線機Ｂが遡り再生中であることを示すマーカを表示したりすることで、送信者に受信者が遡り再生中であることを報知する。そして、無線機Ｂは、メモリ再生音声Ｂ３０３の再生が終了した時点Ｔ００２（遡り再生が終了した時点）において、再生終了信号Ｃ１０２を無線機Ａに送信する。
【００４６】
無線機Ａは、再生終了信号Ｃ１０２を再生終了信号Ｄ１０２として受信する。無線機Ａは、再生終了信号Ｄ１０２を受信すると、例えば、報知音をスピーカ１０６から鳴らしたり、表示部１０４に表示されていた無線機Ｂが遡り再生中であることを示すマーカを消去したりする。これにより、無線機Ａは、無線機Ｂからの応答を持ち、無線機Ｂが送信した送信音声Ｂ１０２を受信音声Ａ１０２として受信できる。
【００４７】
ここで、図４と、図５と、図６とを用いて、無線機Ｂが送受信信号Ｂ１００と、メモリ記録音声Ｂ２００の音声データとを遡り再生する方法について説明する。図４は、音声データを示す図である。図５は、記録部１１０に音声データが記録される様子を示す図である。図６は、記録部１１０に音声データが記録される様子を示す図である。
【００４８】
図４では、音声データを離散化されたデータとして示している。送受信信号Ｂ１００は、送受信データＢ１１０からＢ１１９の１０個のサンプルからなるものとする。メモリ記録音声Ｂ２００は、メモリデータＢ２１０からＢ２１９の１０個のサンプルからなるものとする。
【００４９】
図５と、図６とは送受信データＢ１１０からＢ１１９が記録される記録部１１０を模式的に示している。具体的には、記録部１１０の先頭に、送受信データＢ１１０をメモリデータＢ２１０として記録し、順次、送受信データがメモリデータとして格納される。このとき、図４で送受信データＢ１１０からＢ１１３までがスピーカ１０６から出力された時間Ｔ１０１が経過したところで、受信者が、遡り再生ボタン１０７を押下したとする。この場合、図５で示すように記録部１１０にはメモリデータＢ２１０からＢ２１３が記録される。この時、録音制御部１１１がデータを書き込む位置を示すＷｒｉｔｅポインタと、再生制御部１０９がデータを読み出す位置を示すＲｅａｄポインタは共に４となる。
【００５０】
続けて、受信者は、遡り再生ボタン１０７を図４に示す時間Ｔ１０２だけ押下し続けてから開放したとする。この結果、遡り時間は時間Ｔ１０２となり、時間Ｔ１０２と同じ時間である時間Ｔ１０３だけメモリ記録音声Ｂ２００の再生位置を遡ることになる。図４に示すように、時間Ｔ１０２は２サンプル時間に相当するため、図６に示すようにＷｒｉｔｅポインタは６に進み、メモリデータＢ２１５まで記録された状態になる。そして、Ｒｅａｄポインタは２に戻り、メモリデータＢ２１２から再生を開始する。すなわち、受信者は、２サンプル遡ったメモリデータＢ２１２から受信音声を聞き直すことができる。
【００５１】
このとき、無線機Ｂは、送受信データＢ１１６を受信しており、以降、送受信データＢ１１９まで受信して終了する。同時に、無線機Ｂは、メモリデータＢ２１２を出力しており、以降、メモリデータＢ２１９までを出力して終了する。したがって、受信者は、遡り再生ボタン１０７をリリースしてから、時間Ｔ１０４だけ経過してから聴取を終了する。この場合、送信者は、少なくとも、時間Ｔ１０５の間、受信者からの応答を待つことになる。また、遡り再生ボタン１０７を押下している時間Ｔ１０２の間のスピーカ出力音声Ｂ３００は無音であっても良いし、図４のメモリデータＢ２１２、Ｂ２１３を逆転再生したメモリデータＢ２１３Ｒ、Ｂ２１２Ｒを出力しても良い。
【００５２】
ここで、図７を用いて、遡り再生中にメモリデータを再聴取する方法について説明する。図７は、遡り再生中にメモリデータを再聴取する方法を説明するための図である。
【００５３】
詳細な説明は省略するが、図７に示すように、図４に図示のスピーカ出力音声Ｂ３００で、メモリデータＢ２１２から遡り再生を開始してメモリデータＢ２１４まで再生した時間Ｔ１１４だけ経過後に、再び、遡り再生ボタン１０７を時間Ｔ１１５だけ押下したとする。この場合、時間Ｔ１１５に相当する４サンプル分の時間Ｔ１１６だけＲｅａｄポインタが遡り、メモリデータＢ２１１から再び聴取することができる。この結果、メモリデータＢ２１１から聴取を再開してから、時間Ｔ１１７後に聴取が終了し、受信終了から聴取終了までの時間Ｔ１１８は少なくとも送信者は受信者からの応答を待つことになる。同様に遡り再生中であれば何度でも再聴取が可能である。
【００５４】
尚、説明の簡単のため、遡り時間はＲｅａｄポインタが０に達した場合はリミットし、メモリ容量は１通信時間分以上に十分あるものとして、メモリの終端に記録音声データが達した場合には記録を中止するものとした。しかしながら、Ｗｒｉｔｅポインタと、Ｒｅａｄポインタとの追い越しなどに配慮することでメモリの終端に達した場合にはメモリ先頭に戻るループ構造しても良い。さらに、遡り再生を途中で終了して通常の送受信モードに戻る仕組みを設けても良い。
【００５５】
図８を用いて、第二の発明である無線機Ａが割込送信をする動作の一例について説明する。図８は、無線機Ａが割込送信する動作の一例を示すタイムチャートである。
【００５６】
図８において、無線機Ａが再生中信号Ｄ１０１を受信すると、送信者は無線機Ｂが遡り再生中であることを認識できる。送信者は、無線機Ｂに対して、緊急に送信する要件が発生した場合には割込信号Ｄ１０３を送信信号Ａ１０３の先頭に付加して送信する。
【００５７】
無線機Ｂは、割込信号Ｃ１０３が先頭に付加された受信音声Ｂ１０３を受信すると、スピーカ出力音声Ｂ３００で再生中のメモリ再生音声Ｂ３０４を一旦停止する。そして、無線機Ｂは、受信音声Ｂ１０３を受信音声Ｂ３０５として出力する。受信音声Ｂ３０５の出力が終了すると、一旦停止していたメモリ再生音声Ｂ３０４の続きであるメモリ再生音声Ｂ３０６を出力する。この結果、遅延時間は、図３の時間ｄＴ００２に割込受信の時間を加えた時間ｄＴ００３となる。
【００５８】
図９を用いて、第三の発明である無線機Ａが追伸送信を行う動作の一例について説明する。図９は、図４の時間ｄＴ００２において無線機Ａが追伸送信を行う動作の一例を示すタイムチャートである。
【００５９】
図９では、図８に示した割込モードと同様に、図３に図示の時間ｄＴ００２において、無線機Ａが送信音声Ａ１０４を送信する。しかしながら、追伸モードでは、割込信号が送信音声Ａ１０４の先頭に付加されない。無線機Ｂは、割込信号が付加されていないので受信音声Ｂ１０４を受信しても、スピーカ出力音声Ｂ３００には出力しない。この場合、無線機Ｂは、メモリ記録音声Ｂ２００のメモリ記録音声Ｂ２０１に続けて、受信音声Ｂ１０４をメモリ記録音声Ｂ２０２として記録部１１０に記録する。この結果、追伸モードで送信された音声は遡り再生のメモリ再生音声Ｂ３０３に続けてメモリ再生音声Ｂ３０７として受信者に提供される。この結果、遅延時間は、図３の時間ｄＴ００２に追伸受信の時間を加えた時間ｄＴ００４となる。
【００６０】
また、第四の発明では、音声認識部１０５には、図７に図示の時間Ｔ１０３、及び時間Ｔ１１６で指定された区間に記録されている音声データが供給される音声から文字列への変換を行う。表示部は、音声から変換した文字列を表示部１０４に表示する。
【００６１】
上述のとおり、本実施形態では、半二重通信でリアルタイムの遡り再生を行ってもブレストーク通信に支障をきたさないだけでなく、遡り再生中の通信も可能となる。また、本実施形態では、遡り再生ボタンの押下持続時間で遡り時間を指定するユーザインターフェースにより感覚的な操作が可能となる。さらに、本実施形態では、遡り再生ボタンを押下している部分のみ音声認識により文字列として提示されるため情報を視覚的にも補完することが可能となる。
【００６２】
上記に記載した構成要素には、当業者が容易に想定できるもの、実質的に同一のものを含む。さらに、上記に記載した構成は適宜組み合わせが可能である。また、本発明の要旨を逸脱しない範囲において構成の種々の省略、置換または変更が可能である。
【符号の説明】
【００６３】
１０１  マイク
１０２  送信ボタン
１０３  操作部
１０４  表示部
１０５  音声認識部
１０６  スピーカ
１０７  遡り再生ボタン
１０８  送受信制御部
１０９  再生制御部
１１０  記録部
１１１  録音制御部
１１２  送信部
１１３  受信部
１１４  送受信アンテナ
【図１】
2019169890.tif 000003
【図２】
2019169890.tif 000004
【図３】
2019169890.tif 000005
【図４】
2019169890.tif 000006
【図５】
2019169890.tif 000007
【図６】
2019169890.tif 000008
【図７】
2019169890.tif 000009
【図８】
2019169890.tif 000010
【図９】
2019169890.tif 000011